(57)【要約】【課題】非接触受電機能を有する負荷機器が使える場所を容易に変更でき、且つ、非接触送電機能を持たない既設の建屋に、非接触送電機能を容易に追加できる非接触給電機能付き什器を提供する。【解決手段】収納棚Ａ１は、天板１２と地板１１と背板１４と左右の側板１３とで前面が開口した箱状に形成される。収納棚Ａ１の内側は仕切板１５によって複数の収納スペースに分割される。複数の収納スペースのうちの少なくとも１つには棚板１６が所望の高さ位置に着脱自在に取り付けられる。少なくとも１つの棚板１６の内部には、棚板１６に載置される負荷機器の非接触受電部に対して、電力を非接触電力伝送で供給する非接触給電部１が設けられる。【選択図】図１
2015083148.tif 000002
【特許請求の範囲】
【請求項１】
天板と地板と背板と左右の側板とで前面が開口した箱状に形成された収納棚からなる什器であって、
前記収納棚の内側は仕切板によって複数の収納スペースに分割され、
前記複数の収納スペースのうちの少なくとも１つには棚板が所望の高さ位置に着脱自在に取り付けられ、
少なくとも１つの前記棚板の内部には、前記棚板に載置される負荷機器の第１非接触受電部に対して、電源部から供給される電力を非接触電力伝送で供給する第１非接触給電部が設けられたことを特徴とする非接触給電機能付き什器。
【請求項２】
前記複数の収納スペースのうちの少なくとも１つには引出トレーがスライド自在に設けられ、
少なくとも１つの前記引出トレーに、前記引出トレーに置かれる負荷機器の第１非接触受電部に対して、前記電源部から供給される電力を非接触電力伝送で供給する第２非接触給電部が設けられたことを特徴とする請求項１に記載の非接触給電機能付き什器。
【請求項３】
前記天板、前記地板、前記背板、前記左右の側板、及び前記仕切板のうちの少なくとも１つに、前記収納スペースに収納される負荷機器の第１非接触受電部に対して、前記電源部から供給される電力を非接触電力伝送で供給する第３非接触給電部が設けられたことを特徴とする請求項１又は２に記載の非接触給電機能付き什器。
【請求項４】
前記天板、前記地板、前記背板、前記左右の側板、及び前記仕切板の全てに前記第３非接触給電部が設けられたことを特徴とする請求項３に記載の非接触給電機能付き什器。
【請求項５】
前記背板及び前記棚板のうちの少なくとも一方に貼付固定されるコンセントタップを備え、
前記コンセントタップは、負荷機器の電源プラグが挿抜自在に接続されるコンセント部と、非接触電力伝送で供給された電力を受けて前記コンセント部に電力を供給する第２非接触受電部とを備えたことを特徴とする請求項１〜４の何れか１項に記載の非接触給電機能付き什器。
【請求項６】
少なくとも１つの前記棚板には、非接触電力伝送で供給された電力によって駆動されて、前記棚板の高さ位置を調整するパワーアシスト機構が設けられたことを特徴とする請求項１〜５の何れか１項に記載の非接触給電機能付き什器。
【請求項７】
前記電源部は、外部の給電装置から非接触電力伝送で供給された電力を出力する第３非接触受電部を備えたことを特徴とする請求項１〜６の何れか１項に記載の非接触給電機能付き什器。
【発明の詳細な説明】
【技術分野】
【０００１】
本発明は、非接触給電機能付き什器に関するものである。
【背景技術】
【０００２】
従来、建物の床パネルや壁パネルや天井パネルの内側に非接触給電部を組み込み、非接触受電部を備えた負荷機器をパネル表面に取り付け、非接触給電部から負荷機器に給電する給電システムが提案されていた（例えば特許文献１参照）。
【先行技術文献】
【特許文献】
【０００３】
【特許文献１】特開２００９−１５９６８３号公報
【発明の概要】
【発明が解決しようとする課題】
【０００４】
上述の給電システムでは、床パネルや壁パネルや天井パネルの内側に非接触給電部が予め組み込まれているため、負荷機器を使用できる場所が予め決まっており、非接触給電部が組み込まれていない場所では負荷機器を使用することができなかった。また、室内に置かれている什器（例えば収納家具など）の配置を変更したい場合に、非接触給電部がパネル内に組み込まれていると、什器の設置場所が制約されてしまい、レイアウト変更に柔軟に対応できないという問題もあった。また、非接触給電部が組み込まれていない既設の建物に、非接触給電部を追加しようとすると、上述の給電システムでは床や壁や天井を構成するパネル自体を交換しなければならず、既設の建物に容易に対応できないという問題もあった。
【０００５】
本発明は上記問題点に鑑みて為されたものであり、その目的とするところは、非接触受電機能を有する負荷機器が使える場所を容易に変更でき、且つ、非接触送電機能を持たない既設の建屋に、非接触送電機能を容易に追加できる非接触給電機能付き什器を提供するにある。
【課題を解決するための手段】
【０００６】
上記目的を達成するために、本発明の非接触給電機能付き什器は、天板と地板と背板と左右の側板とで前面が開口した箱状に形成された収納棚からなる什器であって、前記収納棚の内側は仕切板によって複数の収納スペースに分割され、前記複数の収納スペースのうちの少なくとも１つには棚板が所望の高さ位置に着脱自在に取り付けられ、少なくとも１つの前記棚板の内部には、前記棚板に載置される負荷機器の第１非接触受電部に対して、電源部から供給される電力を非接触電力伝送で供給する第１非接触給電部が設けられたことを特徴とする。
【発明の効果】
【０００７】
本発明によれば、建屋内の所望の場所に非接触給電機能付き什器を置けば、その場所で什器本体に置かれた負荷機器に対して非接触給電を行うことができる。また、什器を置いた場所で非接触受電機能を有する負荷機器が使用できるから、什器の設置位置を変更することで、非接触受電機能を有する負荷機器が使用可能な場所を容易に変更できる。また、非接触給電部が組み込まれていない既設の建屋でも、非接触給電機能付き什器を設置することで、非接触給電機能の追加が容易に行えるという効果もある。
【図面の簡単な説明】
【０００８】
【図１】実施形態１の収納棚の正面図である。
【図２】（ａ）（ｂ）は同上の収納棚の概略的なブロック図である。
【図３】同上の収納棚の要部を拡大した斜視図である。
【図４】コンセントタップを用いて給電する場合の概略的なブロック図である。
【図５】実施形態２の間仕切り収納家具の外観斜視図である。
【図６】（ａ）（ｂ）は参考例１のシステムキッチンの外観斜視図である。
【図７】参考例２のユニットバスの浴槽部分を示す外観斜視図である。
【図８】同上の他の例を示す外観斜視図である。
【図９】（ａ）（ｂ）は参考例３のトイレ設備の説明図である。
【発明を実施するための形態】
【０００９】
本発明に係る非接触給電機能付き什器の実施形態を図面に基づいて説明する。
【００１０】
（実施形態１）
本発明の技術思想を、収納棚からなる什器に適用した実施形態について図１〜図４を参照して説明する。
【００１１】
図１は収納棚Ａ１の外観図であり、収納棚Ａ１は、地板１１と天板１２と左右の側板１３，１３と背板１４とで、前面が開口した箱状に形成されている。収納棚Ａ１の内側は仕切板１５によって複数の収納スペースに分割されている。また、負荷機器としてＨＤＤレコーダーＢ１や音響機器Ｂ２を収納する収納スペースＳＰ１や、ＦＡＸ機能付き電話機Ｂ５を収納する収納スペースＳＰ２には、所望の高さ位置に棚板１６が着脱自在に取り付けられ、棚板１６上に負荷機器が載置されている。また、二次電池を内蔵した携帯電話Ｂ６（負荷機器）などを在宅時に置いておく収納スペースＳＰ３には、引出トレー１７がスライド自在に設けられている。引出トレー１７には、携帯電話Ｂ６以外にも、例えば携帯型音楽プレーヤーのような携帯型の負荷機器を置いてもよく、引出トレー１７に携帯型の負荷機器を置いている間に負荷機器の充電が行われる。
【００１２】
ここにおいて、地板１１、天板１２、側板１３、背板１４、仕切板１５、棚板１６及び引出トレー１７などから、収納棚Ａ１の本体１０（什器本体）が構成される。尚、以下の説明では個別の負荷機器（ＨＤＤレコーダー、音響機器、携帯電話など）について説明する場合はＢ１，Ｂ２，Ｂ５と表記し、負荷機器全体について説明する場合は負荷機器Ｂと表記する。
【００１３】
図２（ａ）は収納棚Ａ１及び負荷機器Ｂの概略的なブロック図であり、負荷機器Ｂは、電力を非接触で受ける非接触受電部３（第１非接触受電部）を備える。収納棚Ａ１は、負荷機器Ｂに対して非接触伝送により電力を供給する非接触給電部１を備え、電源プラグ２を電源コンセント（図示せず）に接続すると、非接触給電部１に電力が供給され、非接触給電部１から負荷機器Ｂに非接触で給電される。また、二次電池を内蔵した携帯電話Ｂ６の場合は、非接触受電部３が非接触で電力供給を受け、内蔵する二次電池を充電する。
【００１４】
ところで、非接触電力伝送の手法としては種々のものが提案されているが、本実施形態では例えば電磁誘導方式を採用している。すなわち、非接触給電部１では、一次コイル（図示せず）に高周波電流を印加することによって、高周波磁界を発生させている。そして、非接触受電部３が備える二次コイルを一次コイルに磁気的に結合させると、電磁誘導により二次コイルに電流が誘起されるので、非接触給電部１から電力を非接触で受け取ることができる。尚、非接触給電部１には、非接触電力伝送の手法として近年注目されている磁界共鳴方式や電界共鳴方式などの方式を採用することもでき、これらの方式を採用すれば１ｍ程度の距離でも電力伝送が可能になる。
【００１５】
上記の非接触給電部１は、図１に示すように、収納スペースＳＰ１，ＳＰ２に取り付けられた棚板１６や、収納スペースＳＰ３に設けられたスライド式の引出トレー１７や、背板１４の要所に設けられている。各非接触給電部１には、本体１０内に配線された電線（図示せず）を介して電源が供給されている。これらの非接触給電部１は、負荷機器Ｂが置かれる棚板１６や引出トレー１７や背板１４の部位に、その表面から露出しないように設けられており、充電部分が表面に露出していないので、感電などの虞がなく、安全性が向上するとともに、外観の見栄えを良くできる。
【００１６】
而して、非接触受電部３を備えた負荷機器Ｂが棚板１６や引出トレー１７に載置されると、棚板１６又は引出トレー１７内に設けられた非接触給電部１（第１非接触給電部、第２非接触給電部）から負荷機器Ｂに非接触で電力が供給される。したがって、従来の収納棚のように、負荷機器Ｂの電源線を配線する必要は無く、配線数を減らすことで、配線の手間を少なくできるとともに、配線が乱雑になるのを防止できる。尚、図１に示す収納棚Ａ１では一部の棚板１６や背板１４の一部に非接触給電部１が設けられているが、図１に示す非接触給電部１の配置は一例であり、これに限定されるものではない。全ての棚板１６に非接触給電部１（第１非接触給電部）が設けられてもよいし、背板１４の全体に非接触給電部１が設けられてもよい。また地板１１、天板１２、側板１３又は仕切板１５に非接触給電部１（第３非接触給電部）が設けられてもよい。すなわち、非接触受電部３を備えた負荷機器Ｂが置かれる本体１０の部位に非接触給電部１が設けられていればよい。また、収納棚Ａ１の一角にパソコン用の作業机が組み込まれている場合には、この作業机の天板に非接触給電部１を設け、作業机に設けた手元用照明やパソコンに非接触で電力を供給することができる。
【００１７】
なお上記の説明では、負荷機器が非接触受電機能を備えるものとして説明を行ったが、従来からある電気機器（負荷機器）は、非接触受電機能を備えていないものが殆どであり、電源プラグを電源コンセントに接続して、電力供給を受けている。そこで、このような従来の負荷機器Ｄにも給電できるように、図３及び図４に示すようなコンセントタップＣが使用される。
【００１８】
このコンセントタップＣは、図３に示すように、直方体状のタップ本体２０の前面に、負荷機器Ｄの電源プラグＰＧが挿抜自在に接続されるコンセント部２１を備えている。また、タップ本体２０の内部には、図４に示すように、非接触給電部１から非接触電力伝送により供給された電力を受ける非接触受電部２２（第２非接触受電部）が収納され、非接触受電部２２が受け取った電力がコンセント部２１に供給される。
【００１９】
タップ本体２０は、例えば両面テープ（図示せず）を用いて棚板１６や背板１４に貼着固定される。而して、コンセントタップＣの非接触受電部２２は、背板１４又は棚板１６内に設けられた非接触給電部１から非接触で電力の供給を受けて、コンセント部２１に給電しており、コンセント部２１に電源プラグＰＧを接続した負荷機器Ｄに給電することができる。また非接触受電部を備えていない携帯機器（携帯電話や携帯音楽プレーヤー）の場合、充電器を引出トレー１７に置き、引出トレー１７に配置したコンセントタップＣに充電器の電源プラグを接続すればよく、充電器に携帯機器を装着することで充電が行われる。尚、図３では非接触給電部１が内部に設けられた背板１４や棚板１６にコンセントタップＣが取り付けられているが、非接触給電部１が設けられた本体１０の部位にコンセントタップＣが取り付けられればよい。また、非接触給電部１が設けられた本体１０の部位と離れた位置であっても、非接触給電部１から給電が可能な範囲内であれば、コンセントタップＣを取り付けて使用することができる。
【００２０】
尚、本実施形態では収納棚Ａ１の電源プラグ２を電源コンセントに接続することによって、非接触給電部１に電源が供給されているが、図２（ｂ）に示すように建屋内に設置される非接触給電装置Ｅから非接触で受電する非接触受電部４（第３非接触受電部）を収納棚Ａ１に設けてもよい。この収納棚Ａ１では、非接触給電装置Ｅから非接触で伝送された電力を、電源部たる非接触受電部４が受電しているので、非接触給電部１に電力を供給するための電源線が不要になる。したがって、収納棚Ａ１自体の電源線を配線する手間が無くなるから、収納棚Ａ１の設置作業を簡略化できる。また収納棚Ａ１自体の電源線が不要になるから、配線数を減らして、配線が乱雑になるのを防止できる。
【００２１】
ところで、近年、誰にでも使い勝手のよいユニバーサルデザインの什器が求められており、上述のような収納棚Ａ１においても、物を載せたままで高さ位置を間単に調整できる電動のパワーアシスト機構を棚板に設けることが検討されている。このようなパワーアシスト機構に、本体１０に設けた非接触給電部１から給電すれば、パワーアシスト機構への配線が不要になるので、パワーアシスト機構が設けられた棚板の着脱が容易に行えるという利点がある。またパワーアシスト機構に電源線を介して給電する場合は、棚板が移動するので電源線に可撓性を有するものを使用する必要があり、電源線の位置も固定されていない。そのため、電源線が棚板に載せられた収納物の邪魔になる虞があるが、非接触給電部１で給電すれば、電源線が不要になるから、棚板に載置された収納物の邪魔になることもない。
【００２２】
（実施形態２）
本発明の技術思想を、間仕切り収納家具からなる什器に適用した実施形態について、図５を参照して説明する。
【００２３】
図５に間仕切り収納家具（以下、収納家具と略称す。）Ａ２の外観斜視図を示す。この収納家具Ａ２は、例えばリビングなどの比較的広い部屋内をテレビの鑑賞スペースに区切るために使用され、テレビの周辺機器などを収納するために使用される。
【００２４】
収納家具Ａ２は、上側から見た形状がＬ字形に形成されている。収納家具Ａ２は、地板１１と、天板１２と、両側の側板１３，１３と、背板１４とで、一面側が開口した箱形に形成されている。収納家具Ａ２の内側は仕切板１５によって複数の収納スペースに仕切られ、各々の収納スペースには、高さ位置が調節可能な棚板１６が取り付けられている。ここにおいて、地板１１、天板１２、側板１３、背板１４、仕切板１５及び棚板１６などから、収納家具Ａ２の本体１０（什器本体）が構成される。
【００２５】
収納家具Ａ２の本体１０には、実施形態１で説明したのと同様の非接触給電部１が設けられている。図５の例では、一部の棚板１６に非接触給電部１が組み込まれるとともに、天板１２の一部に非接触給電部１が組み込まれている。尚、非接触給電部１は、天板１２或いは棚板１６の表面から露出しないように設けられており、充電部分が表面に露出していないので、感電などの虞はなく、また外観の見栄えを良くできる。
【００２６】
そして、棚板１６には、負荷機器であるＨＤＤレコーダＢ７やＣＤプレーヤーなどの音響機器Ｂ８が載置されており、棚板１６内に組み込まれた非接触給電部１から、ＨＤＤレコーダーＢ７や音響機器Ｂ８に非接触で給電されるのである。また天板１２には、負荷機器であるスタンド型の照明器具Ｂ９や携帯電話Ｂ６や携帯型のオーディオプレーヤＢ１０が載置されており、非接触給電部１から照明器具Ｂ９や携帯電話Ｂ６やオーディオプレーヤＢ１０に非接触で電力が給電される。携帯電話Ｂ６やオーディオプレーヤＢ１０は、非接触給電部１から電力供給を受けると、内蔵のバッテリを充電し、オーディオプレーヤＢ１０は満充電になると待機状態に切り替わる。
【００２７】
上述のように、非接触受電部３を備えた負荷機器が棚板１６や天板１２に載置されると、棚板１６や天板１２に設けられた非接触給電部１から負荷機器に非接触で電力が供給される。したがって、従来の収納棚のように、負荷機器の電源線を配線する必要は無く、配線数を減らすことで、配線の手間を少なくできるとともに、配線が乱雑になるのを防止できる。特に天板１２に負荷機器を載置する場合は、負荷機器の電線が目立って、外観の見栄えが悪いが、非接触で電力を伝送することによって、負荷機器の電源線を無くすことができるので、見栄えを良くできる。
【００２８】
尚、図５に示す収納家具Ａ２では、一部の棚板１６や天板１２の一部に非接触給電部１が設けられているが、図５に示す非接触給電部１の配置は一例であり、これに限定されるものではない。全ての棚板１６に非接触給電部１が設けられてもよいし、天板１２の全体に非接触給電部１が設けられてもよい。また地板１１、側板１３、背板１４又は仕切板１５に非接触給電部１が設けられてもよい。すなわち、非接触受電部３を備えた負荷機器が置かれる本体１０の部位に非接触給電部１が設けられていればよい。また、収納家具Ａ２に置かれる負荷機器も上記のものに限定されるものではなく、使用環境に合わせて必要な負荷機器を使用すればよい。例えばアロマテラピーを楽しみたい場合には、非接触受電部により電力供給を受けて、アロマオイルを加温するアロマポットを、天板１２に置いてもよく、アロマポットの配線も無くなるから、アロマポットを好きな場所に置いて使用できる。
【００２９】
ところで、上述の説明では負荷機器であるＨＤＤレコーダＢ７、音響機器Ｂ８、照明器具Ｂ９、携帯電話Ｂ６、携帯型オーディオプレーヤＢ１０が非接触受電機能を有しており、非接触給電部１から直接受電できるものとして説明を行っている。一方、従来からある電気機器（負荷機器）は、非接触受電機能を備えていないものが殆どであり、電源プラグを電源コンセントに接続して、電力供給を受けている。そこで、このような従来の負荷機器にも給電したい場合には、実施形態１で説明したコンセントタップＣを使用すれば良く、この場合でも負荷機器の近くにコンセントタップＣを設置することで、配線長を短くして、配線を纏まりよく行うことができる。
【００３０】
また、本実施形態では収納家具Ａ２の電源プラグ（図示せず）を電源コンセントに接続することによって、非接触給電部１に給電されているが、建屋内に設置される非接触給電装置から非接触で受電する非接触受電部を収納家具Ａ２が備えてもよい。その場合は、非接触給電装置から非接触で伝送された電力を、収納家具Ａ２の非接触受電部が受電しているので、非接触給電部１に電力を供給するための電源線が不要になる。したがって、収納家具Ａ２自体の電源線を配線する手間が無くなるから、収納家具Ａ２の設置作業を簡略化できる。また収納家具Ａ２自体の電源線が不要になるから、配線数を減らして、配線が乱雑になるのを防止できる。
【００３１】
（参考例１）
本発明の技術思想を、システムキッチンからなる什器に適用した参考例について図６を参照して説明する。
【００３２】
図６（ａ）（ｂ）にシステムキッチンＡ３の外観斜視図を示す。システムキッチンＡ３は、食材や食器や調理器具などを洗うための流し台１８ａ、調理作業を行うための作業台１８ｂ、煮炊きを行うためのコンロ台１８ｃを一体的に備えて台所に設置される。そして、作業台１８ｂの天板には、実施形態１で説明した非接触給電部１が設けられている。尚、非接触給電部１は、天板の表面から露出しないように設けられており、充電部分が表面に露出していないので、水がかかるような場所でも安全性を確保でき、また外観の見栄えを良くできる。
【００３３】
そして、作業台１８ｂの天板には、負荷機器としてミキサーやジューサーなどの電動調理器具Ｂ１１が載置されており、天板内に組み込まれた非接触給電部１から、電動調理器具Ｂ１１に非接触で給電されるのである。このように、非接触受電部３を備えた電動調理器具Ｂ１１が天板に載置されると、天板に設けられた非接触給電部１から非接触で電力が供給されるので、電動調理器具Ｂ１１の電源線を接続する必要が無く、配線が調理作業の邪魔になることがない。また電動調理器具Ｂ１１を天板に置くだけで使用でき、配線作業が不要になるので、電動調理器具Ｂ１１の設置作業を簡略化できる。
【００３４】
尚、非接触受電部を備えていない従来の電気機器を使用したい場合には、図６（ｂ）に示すように実施形態１で説明したコンセントタップＣを作業台１８ｂの天板上に載置し、このコンセントタップＣに電動調理器具Ｂ１１の電源プラグＰＧを接続すればよい。この場合でも、非接触給電部１から受電可能な範囲内で、コンセントタップＣの位置を動かすことができるので、電動調理器具Ｂ１１の近くにコンセントタップＣを配置することで、配線長を短くでき、纏まりよく配線することができる。
【００３５】
（参考例２）
本発明の技術思想を、ユニットバスからなる什器に適用した参考例について図７及び図８を参照して説明する。
【００３６】
図７はユニットバスの浴槽部分の外観斜視図であり、浴槽Ａ４には、実施形態１で説明したのと同様の非接触給電部１が設けられている。この非接触給電部１は、浴槽Ａ４の表面から露出しないように設けられており、充電部分が表面に露出していないので、水がかかるような場所でも安全性を確保でき、また外観の見栄えを良くできる。
【００３７】
浴室内で使用される負荷機器としては例えば防水型の携帯テレビＢ１２などがあり、非接触受電部（第１非接触受電部）を備えた携帯テレビＢ１２に非接触給電部１から非接触で給電することによって、バッテリ切れを気にすることなく、長時間の視聴が可能になる。また携帯テレビＢ１２に配線する必要がないので、非接触給電部１により非接触給電が可能な場所であれば、どこにでも携帯テレビＢ１２を置いて視聴できる。
【００３８】
尚、負荷機器としては、防水型のＣＤプレーヤのような音響機器を用いることもでき、音楽を楽しみながら入浴が行える。また浴槽掃除の省力化のために、電磁吸引力やエアーバキュームで浴槽の表面に張り付き、表面を走行しながら清掃を行う浴槽用の自動掃除機が検討されており、このような自動掃除機に非接触給電部１から非接触で電力を供給することも考えられる。
【００３９】
また図８はユニットバスＡ５の内部を示した外観斜視図であり、ユニットバスＡ５の壁１９内に非接触給電部１を組み込むようにしてもよい。壁１９には、防水型の壁掛けテレビＢ１３や、照明器具Ｂ１４がスライド移動自在に取り付けられた鏡３０が設置されている。壁掛けテレビＢ１３や照明器具Ｂ１４は、実施形態１で説明した非接触受電部３を備えており、壁１９に組み込まれた非接触給電部１から壁掛けテレビＢ１３や照明器具Ｂ１４に非接触で電力が供給されるようになっている。
【００４０】
このように、非接触受電部３を備えた負荷機器が、ユニットバスＡ５の壁１９に設置されると、壁１９内に設けられた非接触給電部１から負荷機器に非接触で電力が供給されるので、負荷機器に電源線を配線する必要が無く、負荷機器の設置作業が簡単に行える。また負荷機器には電源線が配線されていないので、負荷機器の位置を自由に変更できる。また非接触給電部１は、壁１９の表面から露出しないように設けられており、充電部分が表面に露出していないので、水がかかるような場所でも安全性を確保でき、また外観の見栄えを良くできる。
【００４１】
（参考例３）
本発明の技術思想を、温水洗浄機能付き便器からなる什器に適用した参考例について図９（ａ）（ｂ）を参照して説明する。
【００４２】
図９は温水洗浄機能付き便器（以下、便器と略称す。）Ａ６の外観斜視図であり、便器Ａ６は、便器本体３１と、便座３２と、弁蓋３３とを備える。
【００４３】
便器本体３１の上面（ボウル部３１ａの周縁部）には、実施形態１で説明した非接触給電部１が設けられている。尚、非接触給電部１は、便器本体３１の表面から露出しないように設けられており、充電部分が表面に露出していないので、水がかかるような場所でも安全性を確保でき、また外観の見栄えを良くできる。
【００４４】
便座３２には、便座を温めるヒータと、ヒータを加熱するヒータ加熱部と、実施形態１で説明した非接触受電部３（第１非接触受電部）が内蔵されている。ヒータ加熱部は、非接触受電部３が非接触で受けた電力により、ヒータを加熱している。
【００４５】
便座３２は、便器本体３１に設けた軸部で枢支され、便座３２に載置された状態と、起立した状態との間で回動自在となっている。また、便座３２は便器本体３１に着脱自在に取り付けられており、図９（ｂ）に示すように便座３２を便器本体３１から取り外すことができる。ここで、便座３２と便器本体３１とを電気的に接続する電源線が無く、便座３２を便器本体３１から完全に分離することができるので、便座３２を丸洗いすることができる。本参考例では、便座３２内のヒータ加熱部に、非接触電力伝送により給電しているので、便座３２と便器本体３１との間を電気的に接続するための電線や、給電用の電極を設ける必要がない。したがって、便座３２を便器本体３１から分離して便座３２を洗うことができ、また便座３２には電極などが露出していないので、水をかけて洗っても故障の原因となることはない。尚、便器本体３１が陶器製の場合は非接触電力伝送の効率が低下するが、便器本体３１が合成樹脂製であれば、数百Ｗとの高電力を非接触で伝送することができる。
【００４６】
ところで、本願の非接触給電機能付き什器は、建屋に固定的に或いは移動可能な状態で置かれて使用される非接触給電機能付き什器であって、電力を非接触で受ける非接触受電機能を具備した負荷機器が置かれる什器本体の部位に、負荷機器に対して非接触電力伝送により電力を供給する非接触給電部が設けられたことを特徴とする。ここにおいて、建屋とは住宅や事務所や店舗などに使用される建築物（建物）のことを言う。
【００４７】
これにより、建屋内の所望の場所に非接触給電機能付き什器を置けば、その場所で什器本体に置かれた負荷機器に対して非接触給電を行うことができる。また、什器を置いた場所で非接触受電機能を有する負荷機器が使用できるから、什器の設置位置を変更することで、非接触受電機能を有する負荷機器が使用可能な場所を容易に変更できる。また、非接触給電部が組み込まれていない既設の建屋でも、非接触給電機能付き什器を設置することで、非接触給電機能の追加が容易に行えるという効果もある。
【００４８】
また非接触給電部は、什器本体の表面から露出しないように設けられたことを特徴とする。非接触給電部が什器本体の表面に露出していないので、感電の虞がなく、安全性が向上するとともに、外観の見栄えを良くできる。
【００４９】
また、１乃至複数の棚板を有する収納家具からなる什器であって、上面に載置される負荷機器に電力を供給可能なように棚板又は天板の内部に非接触給電部が設けられることも好ましい。非接触給電部を備えた棚板又は天板の上面に、非接触受電機能を有する負荷機器を載置すれば、負荷機器に電力を非接触で供給できるので、負荷機器の電源線を配線する手間が無くなり、負荷機器の設置作業を簡略化できる。また、棚板や天板に負荷機器を置くだけでよく、電源線の配線が不要になるから、配線数を減らして、配線が乱雑になるのを抑制することができる。
【００５０】
また、流し台、作業台およびコンロ台を一体的に備えて台所に設置されるシステムキッチンからなる什器であって、作業台の天板内に非接触給電部が設けられることも好ましい。システムキッチンの作業台の天板に、非接触受電機能を有する負荷機器を載置すれば、この負荷機器に電力を非接触で供給することができるので、負荷機器の電源線を配線する必要が無く、電源線が調理作業の邪魔になることがない。また天板に負荷機器を置くだけでよく、電源線の配線が不要になるので、配線数を減らして、配線が乱雑になるのを抑制することができ、且つ、負荷機器の設置作業を簡略化できる。
【００５１】
非接触給電機能付き什器は収納家具からなる什器であり、電力を非接触で受ける第１非接触受電部を具備した負荷機器が載置される１乃至複数の棚板と、前記棚板の内部に設けられ、前記第１非接触受電部に対して非接触電力伝送で電力を供給する非接触給電部とを備えてもよい。建屋内の所望の場所に非接触給電機能付き什器を置けば、その場所で什器本体に置かれた負荷機器に対して非接触給電を行うことができる。また、什器を置いた場所で非接触受電機能を有する負荷機器が使用できるから、什器の設置位置を変更することで、非接触受電機能を有する負荷機器が使用可能な場所を容易に変更できる。また、非接触給電部が組み込まれていない既設の建屋でも、非接触給電機能付き什器を設置することで、非接触給電機能の追加が容易に行えるという効果もある。
【００５２】
非接触給電機能付き什器はユニットバスからなる什器であり、浴槽及び浴室の壁からなり、電力を非接触で受ける第１非接触受電部を具備した負荷機器が配置される什器本体と、前記負荷機器が配置される前記什器本体の部位に、前記什器本体の表面から露出しないように設けられ、前記第１非接触受電部に対して非接触電力伝送で電力を供給する非接触給電部とを備えてもよい。浴槽及び浴室の壁からなる什器本体に設けられた非接触給電部から、負荷機器の第１非接触受電部に非接触で電力を供給できる。
【００５３】
非接触給電機能付き什器は温水洗浄機能付き便器からなる什器であり、便器本体に回転自在に取り付けられ、電力を非接触で受ける第１非接触受電部を内蔵した便座と、前記便器本体において前記便座が載置される部位に、前記便器本体の表面から露出しないように設けられ、前記第１非接触受電部に対して非接触電力伝送で電力を供給する非接触給電部とを備えてもよい。便器本体に設けられた非接触給電部から、便座の内部に設けられた第１非接触受電部に非接触で電力を供給できる。
【００５４】
上記の非接触給電機能付き什器において、非接触電力伝送により電力を供給する給電装置から電力を非接触で受ける第３非接触受電部を備え、非接触給電部は、第３非接触受電部が受けた電力を、第１非接触受電部に対して非接触で供給してもよい。什器自体が第３非接触受電部を備えており、給電装置から非接触で電力が供給されるので、非接触給電部に電力を供給するための電源線が不要になり、電源線を配線する手間が無くなるから、什器自体の設置作業を簡略化できる。また什器自体の電源線が不要になるから、配線数を減らして、配線が乱雑になるのを抑制できる。
【符号の説明】
【００５５】
Ａ１  収納棚（非接触受電機能付き什器）
１  非接触給電部（第１非接触給電部、第２非接触給電部、第３非接触給電部）
１０  什器本体
１１  地板
１２  天板
１３  側板
１４  背板
１５  仕切板
１６  棚板
１７  引出トレー
Ｂ１，Ｂ２，Ｂ５  負荷機器
【図１】
2015083148.tif 000003
【図２】
2015083148.tif 000004
【図３】
2015083148.tif 000005
【図４】
2015083148.tif 000006
【図５】
2015083148.tif 000007
【図６】
2015083148.tif 000008
【図７】
2015083148.tif 000009
【図８】
2015083148.tif 000010
【図９】
2015083148.tif 000011